(57)【要約】【課題】バッグとフレーム体との結合が確保されるペットおでかけカートを提供しようとする。【解決手段】ペットを収容する収容空間を形成し、かつその外周縁に少なくともその対称的な左右両側を保持している固定枠が固定されているバッグと、前記バッグを前記左右両側から支持して搬送するものであり、その前記左右両側と対応するところに、それぞれ前記固定枠と着脱可能に左右から係止することができる係止手段が設けられている車輪付きフレーム体とからなっている。【選択図】図４
2006211947.tif 000002
【特許請求の範囲】
【請求項１】
ペットを収容する収容空間を形成し、かつその外周縁に少なくともその対称的な左右両側を保持している固定枠が固定されているバッグと、
前記バッグを前記左右両側から支持して搬送するものであり、その前記左右両側と対応するところに、それぞれ前記固定枠と着脱可能に左右から係止することができる係止手段が設けられている車輪付きフレーム体とからなっていることを特徴とするペットおでかけカート。
【請求項２】
前記バッグは、上下２端を有し、前記固定枠は、一体成型した環状のものであって前記バッグの外周縁の上端近くに固定されていることを特徴とする請求項１に記載のペットおでかけカート。
【請求項３】
前記固定枠は、略円形の断面外形を有し、
前記２の係止手段は、それぞれ左右から前記固定枠の略円形の断面外形と嵌合する断面Ｕ字形の係止部材であることを特徴とする請求項２に記載のペットおでかけカート。
【請求項４】
前記フレーム体は、その２の下端部にそれぞれ車輪がついているＨ字形の前フレームと、その２の下端部にそれぞれ車輪がついており、２の上端部がそれぞれ前記前フレームの２の上端近くに連接されているＨ字形の後フレームと、その２の下端部がそれぞれ連接ユニットを介して前記前フレームの２の上端部と上下回動可能に枢接されている倒Ｕ字形の取っ手フレームとからなっており、
前記２の係止手段は、それぞれ、前記２の連接ユニットの一つに回動可能に枢設されていて前記環状の固定枠の前記左右両側の一側を係止する係止片と、弾性付勢手段を介して前記係止片を前記連接ユニットに固定する固定片とからなっていることを特徴とする請求項２に記載のペットおでかけカート。
【請求項５】
前記固定枠は、略円形の断面外形を有し、
前記係止片は、前記固定枠の略円形の断面外形と嵌合する断面Ｕ字形の係止部材と、前記係止部材に固定されている板体とからなり、前記板体には、第１凸柱及び第２凸柱が設けられており、
前記固定片は、その一端部が前記係止片の外面の前記第１凸柱と前記第２凸柱との間に重なり、かつリベット加工により前記板体に回動可能に軸支されており、その他端部が鉤状に形成されており、またその内面の前記一端部と前記他端部との間に凸部が突起形成されており、
前記弾性付勢手段は、前記係止片と前記固定片との間のリベット加工されたところの外周に設けられ、その一端部が前記第１凸柱に固定され、他端部が前記固定片の凸部に当接しており、
前記連接ユニットには、第３凸柱が形成されており、
また、前記バッグが前記フレーム体に取り付けられた場合、前記固定片の前記鈎状の他端部が前記弾性付勢手段の付勢によって前記第３凸柱に引っ掛けていることを特徴とする請求項４に記載のペットおでかけカート。
【請求項６】
前記各係止部材の同一側には、それぞれ端縁部から他側へ延伸している係止孔が開けてあり、
前記固定枠の前記左右両側には、それぞれ前記係止孔と係止する係止ピンが形成されていることを特徴とする請求項３または５に記載のペットおでかけカート。
【請求項７】
前記フレーム体は、その２の下端部にそれぞれ車輪がついているＨ字形の前フレームと、その２の下端部にそれぞれ車輪がついており、２の上端部がそれぞれ前記前フレームの２の上端近くに連接されているＨ字形の後フレームと、その２の下端部がそれぞれ連接ユニットを介して前記前フレームの２の上端部と上下回動可能に枢接されている倒Ｕ字形の取っ手フレームとからなっており、
前記固定枠の前記左右両側にはそれぞれ係止孔が形成されており、
前記２の係止手段は、それぞれ、前記２の連接ユニットの一つに固定されていて前記固定枠の前記左右両側の一側を収容する台座と、前記台座に設けられておりかつその係止ピンが弾性付勢手段により常時に前記固定枠の前記係止孔内に突入して前記固定枠を係止し、また一旦押圧されると、没入させられて前記係止が解除されるように構成されている係止ピン付き押圧手段とからなっていることを特徴とする請求項２に記載のペットおでかけカート。
【請求項８】
前記バッグは、前後両面を有し、
前記バッグの前面には開口が形成され、前記開口には、前記開口の上端部を遮蔽する開閉可能なメッシュ付きのカーテン体と、前記開口の下端部を遮蔽する開閉可能な踏み板とが設けられていることを特徴とする請求項１〜７のいずれかの一項に記載のペットおでかけカート。
【発明の詳細な説明】
【技術分野】
【０００１】
本発明は、犬や猫、小動物などのペットを外へ連れて散歩や買い物に行くペットおでかけカートに関する。
【背景技術】
【０００２】
従来のペットおでかけカートは、図１に示すように、バッグ２と、前記バッグ２を支持して搬送する車輪付きフレーム体１とからなっている。前記フレーム体１は、その２の下端部にそれぞれ車輪１４がついているＨ字形の前フレーム１１と、その下端部の両側にそれぞれ車輪１４がついており、２の上端部がそれぞれ連接ユニット１５を介して前記前フレーム１１の２の上端近くに連接されているＵ字形の後フレーム１２と、その２の下端部がそれぞれ前記連接ユニット１５を介して前記前フレーム１１の２の上端部と上下回動可能に枢接されている倒Ｕ字形の取っ手フレーム１３と、前記２の連接ユニット１５の間に水平的に固定されている環状の固定枠１６とからなっている。
【０００３】
また、前記フレーム体１は、前記取っ手フレーム１３が下へ回動されると、前記後フレーム１２と前記前フレーム１１とが畳まれるように構成されている。
【０００４】
前記バッグ２は、上へ開口していてペットを収容する収容空間２２が形成してある本体部２３と、ジッパー２４により前記本体部２３の開口縁に開閉可能に設けられていて前記開口を密閉する蓋体部２５と、それぞれの上端部が前記本体部２３の開口縁に固定され、下端部がマジックテープ（登録商標）２７（図２参照）により前記本体部２３に脱着可能に粘着されている複数の粘着部２６とを備えてなった。また、前記本体部２３の前面及び前記蓋体部２５には、それぞれメッシュ付きの窓２８が形成されている。
【０００５】
前記バッグ２の前記フレーム体１への取付は、図２に示すように、前記バッグ２全体を前記フレーム体１の前記環状の固定枠１６内に入れてから、前記マジックテープ（登録商標）２７を外して前記固定枠１６を挟むように前記本体部２３に再度粘着して前記バッグ２全体を前記固定枠１６に固定することで済む。また、前記バッグ２はキャリーバッグとして単独的に使用されることもできる。
【発明の開示】
【発明が解決しようとする課題】
【０００６】
しかしながら、前記従来のペットおでかけカートは、前記バッグ２が軟質であって変形し易いので、前記バッグ２内に収容されるペットの重さにより、前記バッグ２が前記マジックテープ（登録商標）２７により固定されているところまで過度変形する場合、前記マジックテープ（登録商標）２７の粘着性に悪影響をもたらして走行中に前記バッグ２が前記フレーム体１から突然に脱着する危険性がある。
【０００７】
上記に鑑みて、本発明の目的は、その固定がバッグの変形に影響されい上、バッグとフレーム体との結合が丈夫に確保されるペットおでかけカートを提供しようとすることにある。
【課題を解決するための手段】
【０００８】
前記目的を達成するために、発明者は、ペットを収容する収容空間を形成し、かつその外周縁に少なくともその対称的な左右両側を保持している固定枠が固定されているバッグと、前記バッグを前記左右両側から支持して搬送するものであり、その前記左右両側と対応するところに、それぞれ前記固定枠と着脱可能に左右から係止することができる係止手段が設けられている車輪付きフレーム体とからなっていることを特徴とするペットおでかけカートを提供し、特に、前記固定枠は、略円形の断面外形を有し、前記左右から係止する係止手段は、それぞれ左右から前記固定枠の略円形の断面外形と嵌合する断面Ｕ字形の係止部材であることを特徴とするペットおでかけカートを提供する。
【発明の効果】
【０００９】
この構成によるペットおでかけカートは、その固定枠がフレーム体ではなく、前記バッグ自体にあり、且つその外周縁に固定されているため、それによる固定が前記バッグの変形に影響されないので、前記バッグが前記フレーム体に取付けられた場合、収容されるペットが重くても、前記バッグは前記フレーム体から脱着することを免れることができる。
【００１０】
また、前記バッグと前記フレーム体との間の固定はマジックテープ（登録商標）によるのではなく、断面円形の固定枠を左右から係止する断面Ｕ字形の係止部材であるので、結合が遥かに丈夫である。
【発明を実施するための最良の形態】
【００１１】
以下、本発明のペットおでかけカートの好ましい実施形態を詳しく説明する。なお、以下の説明においては、そのサイズに拘わらず、略同一の機能及び構成を有する構成要素については、同一符号を付し、重複説明は必要な場合にのみ行う。
（実施形態１）
図３は本発明のペットおでかけカートの第１実施形態の組立後の斜視図である。図４は前記第１実施形態の分解斜視図である。図３及び図４に示すように、本発明のペットおでかけカートの第１実施形態は、前後左右４面を有しているバッグ４と、前記バッグ４をその左右両側から支持して搬送する車輪付きフレーム体３とからなっている。
【００１２】
前記バッグ４は、主として上へ開口していてペットを収容する収容空間４０２を形成している本体部４１と、複数のスナップボタン４１８により前記本体部４１の上縁に開閉可能に設けられていて前記収容空間４０２の上開口を密閉する蓋体部４２と、少なくとも前記本体部４１の対称的な左右両側を保持するように前記本体部４１の外周縁の上端近くに固定されている固定枠４３とを備えてなった。本実施形態において前記固定枠４３は一体成型した環状のものであって前記本体部４１の開口縁に固定されている。
【００１３】
もっと詳しく説明すると、前記バッグ４の本体部４１の前面４１１には開口が形成され、前記開口には、前記開口の上端部を遮蔽する開閉可能なメッシュ付きのカーテン体４１２と、前記開口の下端部を遮蔽していて下へ開けられるとペットの出入りに便利にさせる開閉可能な踏み板４１４とが設けられている。前記メッシュ付きのカーテン体４１２の上端部は、前記開口の上端縁に固定されている。前記踏み板４１４は、その下端部が前記開口の下端縁に固定されており、上端部が左右一対のスナップボタン４１３，４１３により前記メッシュ付きのカーテン体４１２の下端部を外から止めるように前記本体部４１の前記開口の左右両側縁に脱着可能に設けられている。また、図９に示すように、前記左右一対のスナップボタン４１３，４１３を外して前記踏み板４１４の前記上端部を開けると、前記踏み板４１４は左右一対のひも体４１５により水平的に保持されるようになる。この時、前記メッシュ付きのカーテン体４１２は、図１０に示すように、その下端部から巻かれてから、前記開口の内側の前記収容空間４０２内に設けられた隠し袋４１６内に収容されることができる。それにより、前記バッグ４が前記フレーム体３に取付けられた場合、ペットが前記踏み板４１４により前記収容空間４０２を出入りすることができるので、非常に便利である。
【００１４】
本実施形態において、前記踏み板４１４は、硬質の板体４１４０を内蔵している軟質の板体４１４１である。
【００１５】
そして、前記バッグ４の前記本体部４１の左右両面４１９及び前記蓋体部４２には、それぞれメッシュ付きの窓４２０，４２１が設けられている。前記本体部４１の後面４１０には、左右一対の肩ひも４４が設けられている。
【００１６】
また、前記車輪付きフレーム体３は、図４に示すように、その２の下端部にそれぞれ車輪３１がついているＨ字形の前フレーム３２と、その２の下端部にそれぞれ車輪３１がついており、２の上端部がそれぞれ前記前フレーム３２の２の上端近くに連接されているＨ字形の後フレーム３３と、その２の下端部がそれぞれ連接ユニット３５を介して前記前フレーム３２の２の上端部と上下回動可能に枢接されている倒Ｕ字形の取っ手フレーム３４と、それぞれ前記２の連接ユニット３５の一つに設けられていて前記環状の固定枠４３と着脱可能に左右から係止することができる一対の係止手段５，５とからなっている。前記前フレーム３２と前記後フレーム３３との間は取付空間３０を形成している。
【００１７】
本実施形態において前記２の係止手段５，５は、図５及び図６、図８に示すように、それぞれ前記２の連接ユニット３５，３５の一つに回動可能に枢設されていて前記環状の固定枠４３の前記左右両側の一側を係止する係止片５１（枢支点５５）と、弾性付勢手段５２を介して前記係止片５１を前記連接ユニット３５に固定する固定片５３とからなっている。
【００１８】
もっと詳細に説明すると、前記固定枠４３は、略円形の断面外形を有し、前記係止片５１は、前記取付空間３０内へ開口していて前記固定枠４３の略円形の断面外形と嵌合する断面Ｕ字形の係止部材５１１と、前記係止部材５１１の下方に固定されている板体５１２とからなっている。前記板体５１２には、第１凸柱５１４及び第２凸柱５１５が設けられている。前記固定片５３は、その一端部５３１が前記係止片５１の外面の前記第１凸柱５１４と前記第２凸柱５１５との間に重なり、かつリベット加工により前記板体５１２に回動可能に軸支されており、その他端部５３３が鉤状に形成されており、またその内面の前記一端部５３１と前記他端部５３３との間にパンチにより凸部５３２が突起形成されている。
【００１９】
そして、前記弾性付勢手段５２は、前記係止片５１と前記固定片５３との間のリベット加工されたところの外周に設けられ、その一端部が前記第１凸柱５１４に固定され、他端部が前記固定片５３の凸部５３２に当接している。前記固定片５３の前記鈎状の他端部５３３は、図６に示すように前記弾性付勢手段５２の付勢によって前記連接ユニット３５に形成された前記第３凸柱３５１を引っ掛けている。この時、前記固定片５３の一側縁５３４は、前記第２凸柱５１５に当接している。それにより、前記係止片５１を前記連接ユニット３５に回動不能に固定することができる。
【００２０】
また、図７に示すように、前記弾性付勢手段５２の付勢を抗して前記鈎状の他端部５３３をＩＩ方向へ回動することにより前記係止片５１の前記固定を解除することができるが、一般的には、前記係止片５１の前記固定を解除する必要はない。
【００２１】
また、前記各係止部材５１１の同一側（本実施形態において後側である）には、それぞれ端縁部から他側へ延伸している係止孔５１１０が開けてあり、前記固定枠４３の前記左右両側には、それぞれ前記係止孔５１１０と係止する係止ピン４３１が形成されている。
【００２２】
前記バッグ４の前記フレーム体３への取付は、図５に示すように、前記バッグ４全体を前記取付空間３０内に入れて前記固定枠４３の左右両側をそれぞれ前記一対の断面Ｕ字形の係止部材５１１と係合させてから、Ｉ方向へ摺動することにより前記固定枠４３の前記係止ピン４３１を前記係止孔５１１０と係止させることで済む。
【００２３】
また、前記フレーム体３は、図１１に示すように、前記取っ手フレーム３４が下へ回動されると、前記後フレーム３３と前記前フレーム３２とが畳まれるように構成されている。これは本発明の特徴と関係がないので、その詳しい説明を省略する。もちろん、前記バッグ２はキャリーバッグ（リュックタイプ）として単独的に使用されたり、図１１に示すように前記肩ひも４４の先端の鈎部材４４１を前記バッグ４の前面４１１に設けられたリング４５上に引っ掛けてショルダーバッグや手さげとして使用されることもできる。
【００２４】
前記第１実施形態の構成において前記一対の断面Ｕ字形の係止部材５１１は前記取付空間３０内へ互いに対面するように開口しているが、それに限らず、図１２に示すようにそれぞれ上方へ開口していてもよい。
【００２５】
また、前記第１実施形態において前記２の係止手段５，５はそれぞれ係止片５１（断面Ｕ字形の係止部材５１１を含み）と前記係止片５１を固定する固定片５３とからなっているが、それに限らず、それぞれ左右から前記固定枠４３の略円形の断面外形と嵌合する断面Ｕ字形の係止部材だけであってもよい。
【００２６】
前記構成によるペットおでかけカートは、前記固定枠４３の前記左右両側を前記一対の係止手段５，５と係合することだけにより前記バッグ４を前記フレーム体３に取り付けることができるので、取付が簡素である上、従来のマジックテープ（登録商標）の方式に比べて前記バッグ４と前記フレーム体３との結合を丈夫に確保することができる。また前記バッグ４自体の外周縁に前記固定枠４３が固定されているため、固定枠４３による固定はバッグ４の過度変形に影響されないので、収容されるペットが重くても、従来の脱着問題が生じない。
（実施形態２）
図１３〜図１６は本発明のペットおでかけカートの第２実施形態を示す。この第２実施形態の前記第１実施形態と異なる点は、係止手段６の構成にある。
【００２７】
前記固定枠４３の前記左右両側にはそれぞれ、前後方向に延伸している係止孔４３２が形成されている。
【００２８】
前記２の係止手段６，６は、それぞれ、前記２の連接ユニット３５，３５の一つに固定されていて前記固定枠４３の前記左右両側の一側を収容する台座６１と、前記台座６１に設けられており、かつその係止ピン６２が弾性付勢手段６３により常時に前記固定枠４３の前記係止孔４３２内に突入して前記固定枠４３を係止し、また一旦押圧されると、没入させられて前記係止が解除されるように構成されている係止ピン付き押圧手段とからなっている。
【００２９】
もっと詳しく説明すると、前記台座６１には、上へ開口していて前記固定枠４３の略円形の断面外形と嵌合する断面Ｕ字形の係止槽６１１（断面Ｕ字形の係止部材に相当する）と、前記台座の外側に位置されており、チャンネル６１３を経由して前記係止槽６１１と連通している凹槽６１２とが形成されている。前記凹槽６１２内には、互いに平行している一対の支持板６１５が設けられている。
【００３０】
前記係止ピン付き押圧手段は、図１４及び図１５に示すように、前記係止ピン６２と、前記弾性付勢手段６３と、ボタン部材６４と、蓋体６５とを備えてなっている。前記係止ピン６２は、その先端６２１が前記弾性付勢手段６３の付勢により前記チャンネル６１３から常時に突出するように前記一対の支持板６１５上に設けられている。
【００３１】
前記係止ピン６２の後端６２３の近くには、フランジ部６２２が形成されている。前記係止ピン６２の左右両側にはそれぞれ摺動槽６２４が形成されている。
【００３２】
前記弾性付勢手段６３は、その一端部が前記係止ピン６２の後端６２３に固定されており、他端部が前記台座６１の前記凹槽６１２の開口縁６１６に固定されている。
【００３３】
前記ボタン部材６４は、押さえ部６４１と、前記押さえ部６４１の下面から下へ延伸してそれぞれ前記係止ピン６２の左右一対の摺動槽６２４の一つ内に突入している一対の摺動片６４２とを備えている。また、前記各摺動片６４２は、外側へ傾斜している傾斜面６４２１を有する。
【００３４】
前記蓋体６５は、前記ボタン部材６４の押さえ部６４１を露出させる通孔６５１が形成され、かつ前記台座６１と係合するように前記ボタン部材６４上に固定されている。
【００３５】
それにより、前記バッグ４の固定枠４３の左右両側が前記一対の断面Ｕ字形の係止槽６１１に収容された場合、図１５に示すように前記弾性付勢手段６３の付勢により前記係止ピン６２の先端６２１が前記チャンネル６１３から突出して前記固定枠４３の前記係止孔４３２内に突入して前記固定枠４３を係止することができる。この時、前記各摺動片６４２の先端６４２２が前記係止ピン６２のフランジ部６２２に当接する。
【００３６】
また、図１６に示すように前記ボタン部材６４の押さえ部６４１を下へ押圧すると、前記係止ピン６２のフランジ部６２２が前記摺動片６４２の傾斜面６４２１に案内されて前記係止ピン６２の先端６２１を前記チャンネル６１３内に没入させて前記固定枠４３の係止を解除することができる。
【００３７】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【産業上の利用可能性】
【００３８】
本発明のペットおでかけカートは、前記バッグの外周縁に前記固定枠が固定されている上、前記バッグと前記フレーム体との結合が従来のマジックテープ（登録商標）方式と異なる係合方式を採用しているので、前記バッグの前記フレームと固定するところが変形し難いのみならず、前記バッグと前記フレーム体との結合性も丈夫に確保されることができる。
【図面の簡単な説明】
【００３９】
【図１】従来のペットおでかけカートの分解斜視図
【図２】図１の一部拡大側断面図
【図３】本発明のペットおでかけカートの第１実施形態の組立後の斜視図
【図４】前記第１実施形態の分解斜視図
【図５】前記第１実施形態における係止手段の分解斜視図
【図６】前記第１実施形態における係止手段の係止片を連接ユニットに固定した場合を説明する図
【図７】図６の前記固定を解除した場合を説明する図
【図８】前記第１実施形態の一部拡大断面図
【図９】前記第１実施形態における踏み板を開けた場合を説明する斜視図
【図１０】前記第１実施形態におけるメッシュのカーテンを隠し袋内に収納した場合を説明する一部断面図
【図１１】前記第１実施形態を折畳んだ場合を示す側面図
【図１２】前記第１の実施形態の他の例の一部断面図
【図１３】本発明のペットおでかけカートの第２実施形態における係止手段を示す斜視図
【図１４】図１３の分解斜視図
【図１５】前記第２実施形態における係止手段が固定枠を係止した場合の説明図
【図１６】前記係止を解除した場合の説明図
【符号の説明】
【００４０】
３        フレーム体
３０      取付空間
３１      車輪
３２      前フレーム
３３      後フレーム
３４      取っ手フレーム
３５      連接ユニット
３５１    第３凸柱
４        バッグ
４０１    開口
４０２    収容空間
４１      本体部
４１０    後面
４１１    前面
４１２    メッシュ付きのカーテン体
４１３    スナップボタン
４１４    踏み板
４１４０  硬質板体
４１４１  軟質板体
４１５    ひも体
４１６    隠し袋
４１８    スナップボタン
４１９    左右両面
４２      蓋体部
４２０    メッシュ付きの窓
４２１    メッシュ付きの窓
４３      固定枠
４３１    係止ピン
４３２    係止孔
４４      肩ひも
４４１    鈎部材
４５      リング
５        係止手段
５１      係止片
５１１    係止部材
５１１０  係止孔
５１２    板体
５１４    第１凸柱
５１５    第２凸柱
５２      弾性付勢手段
５３      固定片
５３１    一端部
５３２    凸部
５３３    他端部
５３４    一側縁
５５      枢支点
６        係止手段
６１      台座
６１１    係止槽
６１２    凹槽
６１３    チャンネル
６１５    支持板
６１６    開口縁
６２      係止ピン
６２１    先端
６２２    フランジ部
６２３    後端
６２４    摺動槽
６３      弾性付勢手段
６４      ボタン部材
６４１    押さえ部
６４２    摺動片
６４２１  傾斜面
６４２２  先端
６５      蓋体
６５１    通孔
【図１】
2006211947.tif 000003
【図２】
2006211947.tif 000004
【図３】
2006211947.tif 000005
【図４】
2006211947.tif 000006
【図５】
2006211947.tif 000007
【図６】
2006211947.tif 000008
【図７】
2006211947.tif 000009
【図８】
2006211947.tif 000010
【図９】
2006211947.tif 000011
【図１０】
2006211947.tif 000012
【図１１】
2006211947.tif 000013
【図１２】
2006211947.tif 000014
【図１３】
2006211947.tif 000015
【図１４】
2006211947.tif 000016
【図１５】
2006211947.tif 000017
【図１６】
2006211947.tif 000018